(57)【要約】【課題】外部読取装置や複合型の非接触ＩＣカードの仕様の如何にかかわらず、読取エラーの発生が極めて少ない非接触ＩＣカード通信調整板を提供する。【解決手段】非接触ＩＣカード通信調整板１のシールドシート１０の片面または両面に積層した２枚一組の磁性シート２０をシールドシート１０上で位置の変更を可能なものとした。【選択図】図１
2012243290.tif 000002
【特許請求の範囲】
【請求項１】
外部読取装置が発信する電磁波を利用して前記外部読取装置と非接触で通信することができる非接触ＩＣカードに重ね合わせて使用する、前記外部読取装置と前記非接触ＩＣカードとの通信状態を調整するための非接触ＩＣカード通信調整板において、
前記外部読取装置と前記非接触ＩＣカードとの間の前記電磁波を遮断ないし減衰させるシールドシートと、該シールドシートの片面または両面に積層され、前記外部読取装置と前記非接触ＩＣカードとの間の前記電磁波を透過させる磁性シートと、を備え、
前記シールドシートは、該シールドシートを前記非接触ＩＣカードに重ね合わせた使用状態において前記非接触ＩＣカードの両側長辺に沿うシールドシート長辺部と前記非接触ＩＣカードの両側短辺に沿うシールドシート短辺部とを有するものであり、
前記磁性シートは、前記シールドシート上の位置を変更可能な少なくとも２枚一組の大片の磁性シートである
ことを特徴とする非接触ＩＣカード通信調整板。
【請求項２】
外部読取装置が発信する電磁波を利用して前記外部読取装置と非接触で通信することができる非接触ＩＣカードに重ね合わせて使用する、前記外部読取装置と前記非接触ＩＣカードとの通信状態を調整するための非接触ＩＣカード通信調整板において、
前記外部読取装置と前記非接触ＩＣカードとの間の前記電磁波を遮断ないし減衰させるシールドシートと、該シールドシートの片面または両面に積層され、前記外部読取装置と前記非接触ＩＣカードとの間の前記電磁波を透過させる磁性シートと、を備え、
前記シールドシートは、該シールドシートを前記非接触ＩＣカードに重ね合わせた使用状態において前記非接触ＩＣカードの両側長辺に沿うシールドシート長辺部と前記非接触ＩＣカードの両側短辺に沿うシールドシート短辺部とを有するものであり、
前記磁性シートは、前記シールドシート上の位置を変更可能な少なくとも２枚一組の大片の磁性シートであり、該一組の大片の磁性シートのうち、一方は、前記シールドシートの両短辺部のうち一方にのみと接し、他方は、前記シールドシートの両短辺部のうち他方にのみと接し、それぞれシールドシートの短辺部に接する辺縁の長さはシールドシートの短辺部の長さの１／２よりも短い
ことを特徴とする非接触ＩＣカード通信調整板。
【請求項３】
前記シールドシートは、表面に開口部が内部よりも狭く形成されたガイド溝を有し、
前記の大片の磁性シートは、前記ガイド溝に移動可能に嵌合した突起部を有し、前記ガイド溝に沿って位置の変更を可能とした
ことを特徴とする請求項１または２に記載の非接触ＩＣカード通信調整板。
【請求項４】
前記シールドシートは、表面に開口部が内部よりも狭く形成された複数の固定穴を有し、
前記大片の磁性シートは、前記複数の固定穴に嵌脱可能な突起部を有し、該突起部を前記固定穴に選択的に嵌脱させて位置の変更を可能とした
ことを特徴とする請求項１または２に記載の非接触ＩＣカード通信調整板。
【請求項５】
前記大片の磁性シートそれぞれは、片面に前記シールドシートとの貼着剥離が自在な粘着剤層を有する
ことを特徴とする請求項１または２に記載の非接触ＩＣカード通信調整板。
【請求項６】
前記シールドシートは、前記大片の磁性シートの移動位置を示す目印を有する
ことを特徴とする請求項１から５の何れか一項に記載の非接触ＩＣカード通信調整板。
【発明の詳細な説明】
【技術分野】
【０００１】
本発明は、外部読取装置が発信する電磁波を利用して外部読取装置と非接触で通信することができる非接触ＩＣカードに重ね合わせて使用する、外部読取装置と非接触ＩＣカードとの通信状態を調整するための非接触ＩＣカード通信調整板に関する。
【背景技術】
【０００２】
従来の非接触ＩＣカード通信調整板としては、例えば本願出願人が提案した特許文献１および特許文献２に示すようなものがある。  
すなわち、特許文献１は、電磁シールド効果を有する略四辺形の電磁シールド層の片面または両面に該電磁シールド層よりもやや狭い面積を有する高透磁層を積層したものである。そして、高透磁層は、電磁シールド層にほぼ相似の形状を有しており、その周縁外側は電磁シールド層に囲まれるように形成されている。
【０００３】
また、特許文献２は、並行する帯状の磁性シートを有しており、それぞれの磁性シートは、シールドシートを非接触ＩＣカードに重ね合わせた使用状態において該非接触ＩＣカードの両側長端に沿うようにシールドシートの一方の端縁から他方の端縁まで延設したものである。
【先行技術文献】
【特許文献】
【０００４】
【特許文献１】特開２００６−３５０７４８号公報
【特許文献２】特許第４０９６０６５号公報
【発明の概要】
【発明が解決しようとする課題】
【０００５】
しかしながら、特許文献１に記載された技術では、電磁シールド層の外周縁部を残してその内側全体に高透磁層が形成されているので、外部読取装置と非接触ＩＣカードとの通信は良好にすることができるが、高透磁層の占める面積が大きいので高価になるという問題点があった。また、製造過程においては、電磁シールド層の外周縁部を残すために、高透磁層の周縁が電磁シールド層の外周縁に重ならないようにしなければならず、そのための所定レベル以上の製造技術が必要であるという問題点があった。
【０００６】
一方、特許文献２では、並行する帯状の磁性シートは、シールドシートの一方の端縁から他方の端縁まで延設されているので、長いシールドシートに並行する帯状の磁性シートを積層したものを所定の長さで切断するだけでよく、製造過程が容易であり、また、磁性シートが特許文献１のものよりも少なくて済むので、その分だけコストの低いものとなっている。
【０００７】
しかしながら、近年は、ＩＣカードの多機能化が進み、接触型ＩＣチップと非接触型ＩＣチップとを同一カードに搭載した複合型のＩＣカード（複合型の非接触ＩＣカード）が多くなってきている。このような、複合型のＩＣカードでは、非接触ＩＣカードとしての部品であるアンテナの形状、配置、大きさ等が複合型ではない非接触ＩＣカードに比べると限定されることがある。このため、並行する帯状の磁性シート同士の間にシールドシートが露出した中間領域を有している特許文献２のタイプのものでは、使用状態においてその中間領域に非接触ＩＣカードのアンテナの多くの部分が位置してしまうものも有り得る。この場合、外部読取装置は、非接触ＩＣカードの情報を読み取り難くなるという問題点がある。
【０００８】
また、非接触ＩＣカードから情報を読み取るための外部読取装置は、読み取り性能が統一されているわけではない。例えばＳｕｉｃａ（東日本旅客鉄道株式会社の登録商標）等の非接触ＩＣカードからなる乗車カードを読み取る外部読取装置の性能は、北海道、東日本、西日本など、地域によって異なるところがある。このため、従来の非接触ＩＣカード通信調整板を使用した場合に、同じ非接触ＩＣカードであっても地域によっては外部読取装置が良好に情報の読み取りをできたり、できなかったりするという問題点がある。
【０００９】
また、公表されること無く高反応のＩＣカードが発行されてもいる。非接触ＩＣカードに内蔵のＩＣチップやアンテナの改良又は高性能化により、外部読取装置との応答性に変化が起きている。例えば同じＳｕｉｃａであっても発行時期によっては、外部読取装置に面していない被接触ＩＣカード通信調整板の裏側に重ねた非接触ＩＣカードの情報まで読み取られてしまうものがあるが、発行時期の古いものでは、応答性能が低いために外部読取装置に向けても外部読取装置側で情報が読み取れないという場合もある。
【００１０】
このように従来の非接触ＩＣカード通信調整板を使用した場合、外部読取装置の読み取り性能が略同じであっても、非接触ＩＣカードが発信する電波の強さの違いによって外部読取装置が良好にデータの読み取りをできたり、できなかったりするという問題点がある。
【００１１】
逆に、何れの場合であっても従来の非接触ＩＣカード通信調整板の両側に非接触ＩＣカードを重ねて使用している場合、外部読取装置に面していない非接触ＩＣカード通信調整板の裏側に重ねた非接触ＩＣカードの情報まで外部読取装置が読み取ってしまうという問題点もある。
【００１２】
また、外部読取装置の仕様変更によっても、同一地域でこれまで不都合なく使用できていた非接触ＩＣカード通信調整板では、外部読取装置に面していない非接触ＩＣカード通信調整板の裏側まで電磁波が回り込んでしまって、非接触ＩＣカード通信調整板の裏側に重ねた非接触ＩＣカードの情報を外部読取装置が読み取ってしまうことが起こり得るという問題点がある。
【００１３】
本発明は、このような従来の技術が有する読取エラーの問題点に着目してなされたもので、複合型の非接触ＩＣカードの使用に際して、外部読取装置や複合型の非接触ＩＣカードの仕様の如何にかかわらず、読取エラーの発生が極めて少ない非接触ＩＣカード通信調整板を提供することを目的としている。
【課題を解決するための手段】
【００１４】
かかる目的を達成するための本発明の要旨とするところは、次の各項の発明に存する。［１］  外部読取装置（４０）が発信する電磁波を利用して前記外部読取装置（４０）と非接触で通信することができる非接触ＩＣカード（３０）に重ね合わせて使用する、前記外部読取装置（４０）と前記非接触ＩＣカード（３０）との通信状態を調整するための非接触ＩＣカード通信調整板（１）において、
前記外部読取装置（４０）と前記非接触ＩＣカード（３０）との間の前記電磁波を遮断ないし減衰させるシールドシート（１０）と、該シールドシート（１０）の片面または両面に積層され、前記外部読取装置（４０）と前記非接触ＩＣカード（３０）との間の前記電磁波を透過させる磁性シート（２０）と、を備え、
前記シールドシート（１０）は、該シールドシート（１０）を前記非接触ＩＣカード（３０）に重ね合わせた使用状態において前記非接触ＩＣカード（３０）の両側長辺（３１ａ，３１ａ）に沿うシールドシート長辺部（１０ａ，１０ａ）と前記非接触ＩＣカード（３０）の両側短辺（３１ｂ、３１ｂ）に沿うシールドシート短辺部（１０ｂ、１０ｂ）とを有するものであり、
前記磁性シート（２０）は、前記シールドシート（１０）上の位置を変更可能な少なくとも２枚一組の大片の磁性シート（２０，２０）である
ことを特徴とする非接触ＩＣカード通信調整板（１）。
【００１５】
［２］  外部読取装置（４０）が発信する電磁波を利用して前記外部読取装置（４０）と非接触で通信することができる非接触ＩＣカード（３０）に重ね合わせて使用する、前記外部読取装置（４０）と前記非接触ＩＣカード（３０）との通信状態を調整するための非接触ＩＣカード通信調整板（１）において、
前記外部読取装置（４０）と前記非接触ＩＣカード（３０）との間の前記電磁波を遮断ないし減衰させるシールドシート（１０）と、該シールドシート（１０）の片面または両面に積層され、前記外部読取装置（４０）と前記非接触ＩＣカード（３０）との間の前記電磁波を透過させる磁性シート（２０）と、を備え、
前記シールドシート（１０）は、該シールドシート（１０）を前記非接触ＩＣカード（３０）に重ね合わせた使用状態において前記非接触ＩＣカード（３０）の両側長辺（３１ａ，３１ａ）に沿うシールドシート長辺部（１０ａ，１０ａ）と前記非接触ＩＣカード（３０）の両側短辺（３１ｂ、３１ｂ）に沿うシールドシート短辺部（１０ｂ、１０ｂ）とを有するものであり、
前記磁性シート（２０）は、前記シールドシート（１０）上の位置を変更可能な少なくとも２枚一組の大片の磁性シート（２０，２０）であり、該一組の大片の磁性シート（２０，２０）のうち、一方は、前記シールドシート（１０）の両短辺部（１０ｂ、１０ｂ）のうち一方にのみと接し、他方は、前記シールドシート（１０）の両短辺部（１０ｂ、１０ｂ）のうち他方にのみと接し、それぞれシールドシート（１０）の短辺部（１０ｂ、１０ｂ）に接する辺縁（２３ａ）の長さはシールドシート（１０）の短辺部（１０ｂ、１０ｂ）の長さの１／２よりも短い
ことを特徴とする非接触ＩＣカード通信調整板（１）。
【００１６】
［３］  前記シールドシート（１０）は、表面に開口部（１１ａ）が内部（１１ｂ）よりも狭く形成されたガイド溝（１１）を有し、
前記大片の磁性シート（２０）は、前記ガイド溝（１１）に移動可能に嵌合した突起部（２５）を有し、前記ガイド溝（１１）に沿って位置の変更を可能とした
ことを特徴とする項［１］または［２］に記載の非接触ＩＣカード通信調整板（１）。
【００１７】
［４］  前記シールドシート（１０）は、表面に開口部が内部よりも狭く形成された複数の固定穴を有し、
前記大片の磁性シート（２０）は、前記複数の固定穴に嵌脱可能な突起部を有し、該突起部を前記固定穴に選択的に嵌脱させて位置の変更を可能とした
ことを特徴とする項［１］または［２］に記載の非接触ＩＣカード通信調整板（１）。
【００１８】
［５］  前記大片の磁性シート（２０）それぞれは、片面に前記シールドシート（１０）との貼着剥離が自在な粘着剤層を有する
ことを特徴とする項［１］または［２］に記載の非接触ＩＣカード通信調整板（１）。
【００１９】
［６］  前記シールドシート（１０）は、前記大片の磁性シート（２０）の移動位置を示す目印（１２）を有する
ことを特徴とする項［１］から［５］の何れか一項に記載の非接触ＩＣカード通信調整板（１）。
【００２０】
前記本発明は次のように作用する。  
非接触ＩＣカード通信調整板（１）のシールドシート（１０）は、透過しようとする電磁波を遮断ないし減衰することができる導電性のシートである。また、磁性シート（２０）は、電磁波を空気層よりも高密度に透過させることができるものである。
【００２１】
したがって、非接触ＩＣカード（３０）の表裏両面のうち外部読取装置（４０）に面する側に非接触ＩＣカード通信調整板（１）が重ね合わされているような状態にあるときは、非接触ＩＣカード通信調整板（１）側の面が磁性シート（２０）を備える面であるか否かにかかわらず、シールドシート（１０）が外部読取装置（４０）からの電磁波を遮断して、非接触ＩＣカード（３０）と外部読取装置（４０）との通信を防止することができる。
【００２２】
逆に、外部読取装置（４０）に面する側とは反対側で非接触ＩＣカード通信調整板（１）が非接触ＩＣカード（３０）に重ね合わさった状態にあり、すなわち、非接触ＩＣカード（３０）が外部読取装置（４０）に面するような状態にあり、かつ、その重ね合わさった非接触ＩＣカード通信調整板（１）側の面が磁性シート（２０）を備えない面であるときは、外部読取装置（４０）からの電磁波は、非接触ＩＣカード（３０）を透過した後、シールドシート（１０）によって減衰させられるので、この場合にも外部読取装置（４０）との通信を防止することができる。
【００２３】
これに対して、非接触ＩＣカード通信調整板（１）に重ね合わさった非接触ＩＣカード（３０）が外部読取装置（４０）に面するような状態にあり、かつ、その重ね合わさった非接触ＩＣカード通信調整板（１）側の面が磁性シート（２０）を備える面であるときは、外部読取装置（４０）からの電磁波は、非接触ＩＣカード通信調整板（１）に遮られずに直接に非接触ＩＣカード（３０）に至る。そして、アンテナコイル（３３）が電磁波を受信すると、磁気誘導により非接触ＩＣカード（３０）内に電流が供給され、これにより、非接触ＩＣカード（３０）が動作して電磁波を発信する。このようにして、非接触ＩＣカード通信調整板（１）は、非接触ＩＣカード（３０）と外部読取装置（４０）との通信を可能にしたり、防止したりすることができる。
【００２４】
非接触ＩＣカード通信調整板（１）は、シールドシート（１０）の片面または両面に磁性シート（２０）が積層されている。この磁性シート（２０）は、シールドシート（１０）上の位置を変更可能な少なくとも２枚一組の大片の磁性シート（２０，２０）である。したがって、外部読取装置（４０）や非接触ＩＣカード（３０）の仕様の違いによって、外部読取装置（４０）による非接触ＩＣカード（３０）の情報の読み取りに不具合が生じる場合には、使用者がシールドシート（１０）上の大片の磁性シート（２０，２０）の位置を適宜に変更することによって不具合が生じないようにすることができる。
【００２５】
シールドシート（１０）がその表面にガイド溝（１１）を有し、大片の磁性シート（２０）にシールドシート（１０）のガイド溝（１１）に移動可能に嵌合する突起部（２５）を設けたものにあっては、大片の磁性シート（２０）をシールドシート（１０）上の適宜な位置で突起部（２５）をガイド溝（１１）の開口部（１１ａ）から内部（１１ｂ）に嵌め込めばよい。
【００２６】
また、ガイド溝（１１）に代えて複数の固定穴をシールドシート（１０）の表面に設け、大片の磁性シート（２０）には、複数の固定穴に嵌脱可能な突起部を設けたものにあっては、該突起部を適宜に選択した固定穴に突起部を嵌め込めばよい。このようにして、大片の磁性シート（２０）のシールドシート（１０）上の位置を変更することによって、外部読取装置（４０）や非接触ＩＣカード（３０）の仕様の違いに対応することができ、外部読取装置（４０）の読取エラーの発生を防止することができる。
【００２７】
シールドシート（１０）上の大片の磁性シート（２０）の位置を変更する手段として、大片の磁性シート（２０）の片面にシールドシート（１０）との貼着剥離が自在な粘着剤層を形成しても良い。この場合、シールドシート（１０）にガイド溝（１１）や固定穴を設けたり、大片の磁性シート（２０）に突起部（２５）などを設けたりする必要がなくなるので、非接触ＩＣカード通信調整板（１）の製造コストを低く抑えることができる。
【００２８】
また、シールドシート（１０）側に、大片の磁性シート（２０）の移動位置を示す目印（１２）を設けたものにあっては、大片の磁性シート（２０）を適宜な位置に迅速かつ正確に移動、変更することができる。
【発明の効果】
【００２９】
本発明の非接触ＩＣカード通信調整板によれば、外部読取装置や非接触ＩＣカードの仕様の異なる地域で使用する場合や同一地域内で外部読取装置や非接触ＩＣカードの仕様が変更された場合であっても、シールドシート上の大片の磁性シートの位置を変更することにより、外部読取装置が読取エラーをすることなく非接触ＩＣカードから情報を読み取れるようにすることができる。
【００３０】
また、大片の磁性シートの片面にシールドシートとの貼着剥離が自在な粘着剤層を形成することにより、シールドシート上における大片の磁性シートの位置変更が可能な非接触ＩＣカード通信調整板を安価に提供することができる。
【００３１】
また、シールドシート側に、大片の磁性シートの位置を示す目印を設けることにより、誰でも大片の磁性シートを適宜な位置に迅速かつ正確に移動、変更することができる。
【図面の簡単な説明】
【００３２】
【図１】本発明の実施の形態に係る非接触ＩＣカード通信調整板を示す平面図である。
【図２】図１の非接触ＩＣカード通信調整板における磁性シートを示す平面図である。
【図３】図１の非接触ＩＣカード通信調整板を長辺側から見た側面図である。
【図４】図２における磁性シートの突起部とシールドシートにおけるガイド溝との嵌合状態部分を示す模式図である。
【図５】本発明の実施の形態に係る非接触ＩＣカード通信調整板の作用を説明する図である。
【図６】非接触ＩＣカードを示す斜視図である。
【図７】非接触ＩＣカードの使用状態を示す概略図である。
【発明を実施するための形態】
【００３３】
以下、図面に基づき本発明の好適な各種の実施の形態を説明する。  
図１から図５は、本発明の実施の形態を示している。  
図１は、本発明の実施の形態に係る非接触ＩＣカード通信調整板を示す平面図であり、図２は、図１の非接触ＩＣカード通信調整板における磁性シートを示す平面図であり、図３は、図１の非接触ＩＣカード通信調整板を長辺側から見た側面図である。図４は、図２における磁性シートの突起部とシールドシートにおけるガイド溝との嵌合状態部分を示す模式図である。図５は、本発明の実施の形態に係る非接触ＩＣカード通信調整板の作用を説明する図である。  
また、図６は、非接触ＩＣカードを示す斜視図であり、図７は、非接触ＩＣカードの使用状態を示す概略図である。
【００３４】
図６および図７に示すように、非接触ＩＣカード通信調整板１を使用する非接触ＩＣカード３０は、カード型の本体３１にＩＣチップ３２と該ＩＣチップ３２に接続されたアンテナコイル３３とが埋設されたものであり、電磁波を利用して無線で非接触に外部読取装置４０との間でデータやプログラムの読み書きを行うものである。外部読取装置４０はカードリーダ・ライタ等である。
【００３５】
外部読取装置４０側から非接触ＩＣカード３０に誘導電磁波を照射すると、非接触ＩＣカード３０側ではアンテナコイル３３が誘導電磁波を受信して、アンテナコイル３３に誘導起電力が生じる。この誘導起電力が非接触ＩＣカード３０の駆動電力となるとともに誘導電磁波に重畳された電磁波によりＩＣチップ３２に記憶されたデータが読み取られる。
【００３６】
このような非接触ＩＣカード３０に重ね合わせて使用する非接触ＩＣカード通信調整板１は、外部読取装置４０と非接触ＩＣカード３０との間での通信を防止するために、非接触ＩＣカード３０と外部読取装置４０との間の電磁波を遮断ないし減衰させる作用を発揮することができるようにしたものである。
【００３７】
図２および図３に示すように、非接触ＩＣカード通信調整板１は、電磁波を遮断ないし減衰させるためのシールドシート１０に電磁波の透過する磁性シート２０を積層したものである。この非接触ＩＣカード通信調整板１は、図７に示すように外部読取装置４０と非接触ＩＣカード３０との間で行われる非接触の通信状態を調整するために使用するものである。
【００３８】
シールドシート１０は、略四辺形の平面形状に形成されており、その大きさは、非接触ＩＣカード３０と重ね合わせたときに非接触ＩＣカード３０に内蔵されるアンテナコイル３３より大きいものであることが好ましい。これにより、非接触ＩＣカード通信調整板１を非接触ＩＣカード３０に重ね合わせたときに、非接触ＩＣカード通信調整板１の周縁からの電磁波の回り込みを減少させて、外部読取装置４０と非接触ＩＣカード３０との間の電磁波を確実に遮断ないし減衰させるようにすることができる。
【００３９】
非接触ＩＣカード３０のアンテナコイル３３は、送信と受信を兼用するものであるが、これには限定されず、送信用アンテナと受信用アンテナとを別個に備えていてもよい。送信用と受信用とに別個のアンテナを備えている場合には、いずれか一方のアンテナをシールドシート１０により遮蔽することができれば、非接触ＩＣカード３０と外部読取装置４０との通信を防止することができる。
【００４０】
このシールドシート１０は、導電性を有することによって電磁シールド効果が得られる素材を用いて形成されている。金属であれば、例えば、金、銀、白金、銅、アルミニウム、鉄、ニッケル等である。また、金属以外の物質としては、例えば導電性セラミックなどを用いることができる。これら金属等は、板状に形成したものが使用される。
【００４１】
シールドシート１０は、所定の媒体から成る基体（Ｂａｓｅ）にメッシュ状、ラティス状、箔状、あるいは板状等に形成した金属等を貼付等して設けたものであってもよい。基体の素材としては、例えば、シート状のプラスチック、布、紙等を使用することができる。
【００４２】
また、シールドシート１０は、平板状に形成した基体に粉状の金属等を塗布したものであってもよい。また、粉状のプラスチックに金属粉を含有させ、これを層状に成形したものであってもよい。さらに、層状の基体に金属等を貼付したり、縫い込んだりしてシールドシート１０を構成するようにしてもよい。
【００４３】
基体に使用するプラスチックは、例えば、ポリエチレン（ＰＥ）やポリプロピレン（ＰＰ）やポリエチレンテレフタレート（ＰＥＴ）その他の任意の樹脂材料を用いることができる。これら樹脂材料を基体とする場合、シールドシート１０は、基体中に導電性パウダーが混入されたプラスチックフィルム状に形成されたものや表面に金属薄膜が蒸着されたプラスチックフィルム状に形成されたもの、表面に金属箔が貼り付けられたプラスチックフィルム状に形成されたものや表面に導電性樹脂が塗布されたプラスチックフィルム状に形成されたもの、他にも内部に金属線又は金属製の網が埋め込まれたプラスチックフィルム状に形成されたもの等にすることができる。  
以上のようにして形成したシールドシート１０は、透過しようとする電磁波を遮蔽することができる。
【００４４】
このシールドシート１０に積層する磁性シート２０は、非接触により外部読取装置４０と通信する非接触ＩＣカード３０が当該外部読取装置４０と通信するのを誘導する役割を果たすものであり、シールドシート１０との組み合わせにより、非接触ＩＣカード３０の通信状態を好適に調整するものである。
【００４５】
電磁波を遮断ないし減衰させるシールドシート１０は、略長方形のものであり、４つの角に丸みが付けられている。シールドシート１０は、非接触ＩＣカード通信調整板１を非接触ＩＣカード３０に重ね合わせた使用状態において非接触ＩＣカード３０の両側長辺３１ａ，３１ａそれぞれに沿うシールドシート長辺部１０ａ，１０ａと非接触ＩＣカード３０の両側短辺３１ｂ，３１ｂそれぞれに沿うシールドシート短辺部１０ｂ，１０ｂとを有している。
【００４６】
図１に示すように、本実施の形態の非接触ＩＣカード通信調整板１は、シールドシート１０に積層される磁性シートとして２枚の大片の磁性シート２０，２０を有している。図３においては、シールドシート１０の片面だけに磁性シート２０，２０が積層されているように示したが、両面に積層してもよい。磁性シート２０，２０を片面だけに積層したものでは、その片面を使用する場合にのみ非接触ＩＣカード通信調整板１としての機能が発揮されるが、磁性シート２０，２０を両面に積層したものでは、非接触ＩＣカード通信調整板１の両側に１枚ずつ非接触ＩＣカードを重ねてそれぞれの非接触ＩＣカードを使用することができる。
【００４７】
磁性シート２０は、透磁率μに優れた材料が使用される。例えば、使用する電磁波の周波数において、比透磁率は１００以上のものが好ましく、より好ましくは１０００以上のものである。具体的には、パーマロイ、フェライト、センダスト、方向性ケイ素鋼等を使用することができる。これにより、磁性シート２０は、電磁波を空気層よりも高密度に透過させることができる。
【００４８】
磁性シート２０，２０は、同一の形状のものである。例示したものは、四辺形のものであり、シールドシート１０の長辺部１０ａ、１０ａの延びる方向に平行に延びる磁性シート長辺２１と該磁性シート長辺２１に対して傾斜した方向に延びる傾斜辺２２およびシールドシート１０の短辺部１０ｂ、１０ｂの延びる方向に平行に延びる磁性シート短辺２３，２４とから成っている。
【００４９】
磁性シート短辺２３，２４は長さが異なり、短い方の磁性シート短辺２３は、辺縁２３ａがシールドシート１０の短辺部１０ｂ、１０ｂの一方の辺縁と重なるように配置されている。磁性シート短辺２３の辺縁２３ａの長さは、シールドシート１０の短辺１０ｂの長さの１／２よりも短くなっている。この辺縁２３ａは、概して短い方が良い。
【００５０】
一方、長い方の磁性シート短辺２４は、その辺縁がシールドシート１０の短辺部１０ｂには至っていない。したがって、磁性シート２０は、シールドシート１０の一方の短辺部１０ｂのみと接している。
【００５１】
図１、図３および図４に示したように、シールドシート１０の表面には、１枚の磁性シート２０につき２本のガイド溝１１，１１が平行に形成されている。図４に示したように、ガイド溝１１，１１は、その開口部１１ａが内部１１ｂよりも狭く形成されている。ガイド溝１１，１１は、シールドシート１０の短辺部１０ｂが延びる方向に延びている。このガイド溝１１は、例えば幅が０．５ｍｍであり、長さが１．５ｍｍのものである。
【００５２】
一方、磁性シート２０には、ガイド溝１１に移動可能に嵌合する突起部２５が設けられている。突起部２５は、断面がガイド溝１１の開口部１１ａよりも大きいがガイド溝１１の内部１１ｂに収容される大きさの頭部２５ａが形成されている。
【００５３】
非接触ＩＣカード通信調整板１は、磁性シート２０に設けられた突起部２５をシールドシート１０に形成されたガイド溝１１に嵌合させることによって機能する。磁性シート２０は、突起部２５をガイド溝１１内で移動できる範囲で位置を変えることができる。
【００５４】
図１において、実線で示した状態は、２枚の磁性シート２０，２０それぞれの傾斜辺２２，２２が接して、全体として１枚の磁性シートを形成するように磁性シート２０，２０を配置した例を示している。また、破線で示したものは、２枚の磁性シート２０，２０それぞれの傾斜辺２２，２２の間にシールドシート１０が露出するように、磁性シート２０，２０を配置した例を示している。
【００５５】
破線に重なって実線で示したものは、磁性シート２０の位置を変更する際に、適宜な位置に迅速且つ正確に移動、変更できるように磁性シート２０の固定位置を示す目印１２である。目印１２は、２枚の磁性シート２０，２０それぞれにつき複数の目印１２が設けられている。図１では、それぞれの磁性シート２０，２０につき一本ずつ示し、他の目印の図示は省略されている。
【００５６】
以上のように構成される非接触ＩＣカード通信調整板１は、非接触ＩＣカード３０と略同じ大きさであってもよいし、ある程度余裕のある大きさであっても良い。
【００５７】
次に本実施の形態に係る非接触ＩＣカード通信調整板１の作用を説明する。  
図５は、本実施の形態に係る非接触ＩＣカード通信調整板１の両面に磁性シート２０を設けたもののそれぞれの面に非接触ＩＣカード３０ａ，３０ｂを重ね合わせた使用状態での非接触ＩＣカード通信調整板１の作用を説明する図である。図示した使用状態では、非接触ＩＣカード通信調整板１のシールドシート１０に磁性シート２０が積層された両面にそれぞれ非接触ＩＣカード３０ａ，３０ｂが重ね合わせられている。
【００５８】
図５において、矢印は、非接触ＩＣカード３０ａ，３０ｂの情報を読み取るための電磁波（信号）を示している。また、「○」印は、通信が正常に行われることを示し、「×」印は、通信が正常に行われないことを示す。
【００５９】
図５においてシールドシート１０の左側から非接触ＩＣカード３０ａに向かう電磁波は、非接触ＩＣカード３０ａの裏面側に配置されている磁性シート２０によってシールドシート１０の影響が軽減される。これにより、非接触ＩＣカード３０ａは、外部からの電磁波を問題なく受信することができ、また、非接触ＩＣカード３０ａから電磁波を発信することができる。これは、高透磁率である磁性シート２０中には磁界が集中しやすいため、非接触ＩＣカード３０ａも磁界の中に置かれることによるものである。このため、非接触ＩＣカード３０ａは、外部からの電磁波を受信し、また、電磁波を発信することができる。したがって、シールドシート１０の左側から非接触ＩＣカード３０ａに向かう方向に外部読取装置４０が電磁波を発信したときには、非接触ＩＣカード３０ａと外部読取装置４０との間で通信をすることができる。
【００６０】
一方、同じシールドシート１０の左側から非接触ＩＣカード３０ａに向かう電磁波は、非接触ＩＣカード通信調整板１のシールドシート１０によって遮蔽されるので、シールドシート１０の右側に重ね合わせられた非接触ＩＣカード３０ｂに到達することはない。このため、非接触ＩＣカード３０ｂが非接触ＩＣカード通信調整板１を挟んで反対側から来る電磁波を受信してしまうことはなく、外部読取装置４０と非接触ＩＣカード３０ｂとの間の不所望の通信を防止することができる。
【００６１】
このような作用は、シールドシート１０の右側から非接触ＩＣカード３０ｂに向かう電磁波についても全く同様のことが言える。
【００６２】
一般に、導体（シールドシート１０）の内部には電磁波が存在せず、また、空気と導体との境界面でも境界条件より電磁波が充分に存在しない性質を有する。このため、例えば図５に示すように非接触ＩＣカード３０ｂを読み取るための電磁波が右側から発信されても、非接触ＩＣカード３０ｂの裏面に配置されるシールドシート１０のために電磁波が減衰してしまう。これにより、非接触ＩＣカード３０ｂは、非接触ＩＣカード３０ｂに対して電磁波を発信した外部読取装置４０と通信することができない。
【００６３】
また、非接触ＩＣカード３０ａに対してシールドシート１０の右側から進行して来る電磁波は、非接触ＩＣカード３０ｂに対してシールドシート１０の左側から進行して来る電磁波がシールドシート１０に遮断されてしまうのと同様にシールドシート１０によって遮断されるので、非接触ＩＣカード３０ａに到達することがない。このため、非接触ＩＣカード３０ａによる電磁波の受信は行われず、シールドシート１０の右側にある外部読取装置４０と非接触ＩＣカード３０ａとの通信は妨げられる。
【００６４】
本実施の形態に係る非接触ＩＣカード通信調整板１によれば、非接触ＩＣカード３０ａ，３０ｂと非接触ＩＣカード通信調整板１との重ね合わせ方および非接触ＩＣカード通信調整板１に重ね合わせた非接触ＩＣカード３０ａ，３０ｂを外部読取装置４０が発する電磁波が来る方向に対してどのように位置させるかによって、非接触ＩＣカード３０ａ，３０ｂと外部読取装置４０との通信を好適に調整することができる。
【００６５】
非接触ＩＣカード通信調整板１は、シールドシート長辺部１０ａ，１０ａに沿って磁性シート長辺２１，２１の辺縁との間にシールドシート１０の露出部分が延びている。このシールドシート１０の露出部分が有ることにより、非接触ＩＣカード通信調整板１の表裏両側に非接触ＩＣカード３０を配置した使用状態であっても、外部読取装置４０が外部読取装置４０に面する非接触ＩＣカード通信調整板１の表側とは反対の裏側に配置された非接触ＩＣカード３０の情報をシールドシート長辺部１０ａ，１０ａ側から読み取ってしまう読込エラーがほぼ完全に防止される。
【００６６】
また、長さの短いシールドシート短辺部１０ｂ，１０ｂの辺縁には、２枚の磁性シート短辺２３，２４のうち短い方の磁性シート短辺２３の辺縁２３ａだけが至っているが、辺縁２３ａの長さは、シールドシート１０の短辺部１０ｂの長さの１／２よりも短くなっており、辺縁２３ａ以外の周縁部ではシールドシート１０が露出している。このため、外部読取装置４０が辺縁２３ａ以外の周縁部から非接触ＩＣカード通信調整板１の裏側に配置された非接触ＩＣカード３０を読み込んでしまう読込みエラーが防止される。これにより、シールドシート短辺部１０ｂ，１０ｂ側からの読取エラーの可能性が低くなっている。
【００６７】
本実施の形態に係る非接触ＩＣカード通信調整板１は、磁性シート２０，２０の位置をシールドシート１０の短辺部１０ｂの延びる方向に移動させることができる。磁性シート２０，２０は、それぞれ互いに同方向に移動させることもできるし、相反する方向に移動させることもできる。磁性シート２０は、その突起部２５がシールドシート１０のガイド溝１１に移動可能に嵌合しているので、ガイド溝１１に沿って移動させればよい。
【００６８】
したがって、図１の実線で示したように２枚の磁性シート２０，２０をそれぞれの傾斜辺２２，２２が接するように配置して、磁性シート２０，２０が全体で１枚の磁性シートとなるようにすることもできるし、傾斜辺２２，２２との間にシールドシート１０が露出するように配置することもできる。
【００６９】
このように磁性シート２０，２０の位置を変更できるので、すなわち、シールドシート１０上での磁性シート２０，２０の占める領域の位置や形状を変更することができるので、複合型の非接触ＩＣカードの使用に際して、外部読取装置４０や複合型の非接触ＩＣカードの仕様の如何にかかわらず、読取エラーの発生が極めて少ない非接触ＩＣカード通信調整板１とすることができる。
【００７０】
例えば、応答性能が低い非接触ＩＣカード３０の場合には、２枚の磁性シート２０，２０それぞれをシールドシート１０の長辺部１０ａ側に向けて移動させることにより、非接触ＩＣカード３０のアンテナのより多くの部分を磁性シートが覆うので、より多くの電磁波がアンテナに供給されて非接触ＩＣカード３０と外部読取装置４０との間の通信を良好にすることができる。
【００７１】
一方、応答性が高い非接触ＩＣカード３０の場合には、２枚の磁性シート１０，１０をシールドシート１０の中央寄りに移動させてシールドシート１０の外周部の割合を大きくすることにより、外部読取装置４０に面した非接触ＩＣカード通信調整板１の面の反対側の面に重ねた非接触ＩＣカード３０が過剰に反応しないように調整することができる。
【００７２】
以上、本発明の実施の形態を図面によって説明してきたが、具体的な構成は前述した実施の形態に限られるものではなく、本発明の要旨を逸脱しない範囲における変更や追加があっても本発明に含まれる。例えば、本実施の形態においては、磁性シート２０は、図示したような四辺形としたが、四辺形に限られない。  
また、傾斜辺２２は直線状に示したが屈折した線であっても良いし、曲線であっても良い。
【００７３】
また、ガイド溝１１の幅、長さ、本数等は、前記し、図示したものに限られない。さらに、ガイド溝１１の延びる方向すなわち磁性シートを移動させる方向は、シールドシート１０の短辺部１０ｂの延びる方向に限定されず、移動によって磁性シート２０がシールドシート１０からはみ出ないようにすればどのような方向であってもよいし、円や曲線を描くような移動方向にしてもよい。
【００７４】
なお、ガイド溝１１に代えて複数の固定穴をシールドシート１０の表面に設け、大片の磁性シート２０には、複数の固定穴に嵌脱可能な突起部を設けてもよい。この場合、突起部を固定穴から外してから適宜に選択した固定穴に嵌め込み直せばよい。このようにして、大片の磁性シート２０のシールドシート１０上の位置を変更することができ、外部読取装置４０の読取エラーの発生を防止することができる。
【００７５】
また、シールドシート１０上にガイド溝１１や固定穴を設けず、大片の磁性シート２０には突起を設けずに、大片の磁性シート２０の片面にシールドシート１０との貼着剥離が自在な粘着剤層を設けても良い。
【００７６】
また、磁性シート２０に設けた突起部２５は、磁性シート２０に直接に設けるのではなく、例えば磁性シート２０と同一形状のベースシートの上面に磁性シート２０を貼着し、下面に突起部２５を設けてもよい。ベースシートの素材は、例えばシールドシート１０と同じものである。
【産業上の利用可能性】
【００７７】
本発明に係る非接触ＩＣカード通信調整板の思想は、非接触ＩＣカードの情報を外部読取装置で読み取るような使用態様のものであれば、広く適用することができる。
【符号の説明】
【００７８】
１…非接触ＩＣカード通信調整板
１０…シールドシート
１０ａ…シールドシート長辺部
１０ｂ…シールドシート短辺部
１１…ガイド溝
１１ａ…開口部
１１ｂ…内部
１２…目印
２０…磁性シート
２１…磁性シート長辺
２２…傾斜辺
２３…磁性シート短辺
２３ａ…辺縁
２４…磁性シート短辺
２５…突起部
２５ａ…頭部
３０…非接触ＩＣカード
３１…本体
３１ａ…非接触ＩＣカードの長辺
３１ｂ…非接触ＩＣカードの短辺
３２…ＩＣチップ
３３…アンテナコイル
４０…外部読取装置
【図１】
2012243290.tif 000003
【図２】
2012243290.tif 000004
【図３】
2012243290.tif 000005
【図４】
2012243290.tif 000006
【図５】
2012243290.tif 000007
【図６】
2012243290.tif 000008
【図７】
2012243290.tif 000009
【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
外部読取装置が発信する電磁波を利用して前記外部読取装置と非接触で通信することができる非接触ＩＣカードに重ね合わせて使用する、前記外部読取装置と前記非接触ＩＣカードとの通信状態を調整するための非接触ＩＣカード通信調整板において、
前記外部読取装置と前記非接触ＩＣカードとの間の前記電磁波を遮断ないし減衰させるシールドシートと、該シールドシートの片面または両面に積層され、前記外部読取装置と前記非接触ＩＣカードとの間の前記電磁波を透過させる磁性シートと、を備え、
前記シールドシートは、該シールドシートを前記非接触ＩＣカードに重ね合わせた使用状態において前記非接触ＩＣカードの両側長辺に沿うシールドシート長辺部と前記非接触ＩＣカードの両側短辺に沿うシールドシート短辺部とを有するものであり、
前記磁性シートは、前記シールドシートからはみ出さない範囲内で前記シールドシート上の位置を変更可能な少なくとも２枚一組の大片の磁性シートであり、面積の合計が前記シールドシートの面積よりも小さい
ことを特徴とする非接触ＩＣカード通信調整板。
【請求項２】
外部読取装置が発信する電磁波を利用して前記外部読取装置と非接触で通信することができる非接触ＩＣカードに重ね合わせて使用する、前記外部読取装置と前記非接触ＩＣカードとの通信状態を調整するための非接触ＩＣカード通信調整板において、
前記外部読取装置と前記非接触ＩＣカードとの間の前記電磁波を遮断ないし減衰させるシールドシートと、該シールドシートの片面または両面に積層され、前記外部読取装置と前記非接触ＩＣカードとの間の前記電磁波を透過させる磁性シートと、を備え、
前記シールドシートは、該シールドシートを前記非接触ＩＣカードに重ね合わせた使用状態において前記非接触ＩＣカードの両側長辺に沿うシールドシート長辺部と前記非接触ＩＣカードの両側短辺に沿うシールドシート短辺部とを有するものであり、
前記磁性シートは、前記シールドシートからはみ出さない範囲内で前記シールドシート上の位置を変更可能な少なくとも２枚一組の大片の磁性シートであり、該一組の大片の磁性シートは、面積の合計が前記シールドシートの面積よりも小さく、一方は、一部の辺縁が前記シールドシートの両短辺部のうち一方にのみと接し、他方は、一部の辺縁が前記シールドシートの両短辺部のうち他方にのみと接している
ことを特徴とする非接触ＩＣカード通信調整板。
【請求項３】
前記シールドシートの短辺部に接している、前記一方の磁性シートおよび前記他方の磁性シートそれぞれの前記辺縁は、長さが前記シールドシートの短辺部の長さの１／２よりも短いことを特徴とする請求項２に記載の非接触ＩＣカード通信調整板。
【請求項４】
前記シールドシートは、表面に開口部が内部よりも狭く形成されたガイド溝を有し、
前記の大片の磁性シートは、前記ガイド溝に移動可能に嵌合した突起部を有し、前記ガイド溝に沿って位置の変更を可能とした
ことを特徴とする請求項１，２または３に記載の非接触ＩＣカード通信調整板。
【請求項５】
前記シールドシートは、表面に開口部が内部よりも狭く形成された複数の固定穴を有し、
前記大片の磁性シートは、前記複数の固定穴に嵌脱可能な突起部を有し、該突起部を前記固定穴に選択的に嵌脱させて位置の変更を可能とした
ことを特徴とする請求項１，２または３に記載の非接触ＩＣカード通信調整板。
【請求項６】
前記大片の磁性シートそれぞれは、片面に前記シールドシートとの貼着剥離が自在な粘着剤層を有する
ことを特徴とする請求項１，２または３に記載の非接触ＩＣカード通信調整板。
【請求項７】
前記シールドシートは、前記大片の磁性シートの移動位置を示す目印を有する
ことを特徴とする請求項１から６の何れか一項に記載の非接触ＩＣカード通信調整板。
【手続補正２】
【補正対象書類名】明細書
【補正対象項目名】００１４
【補正方法】変更
【補正の内容】
【００１４】
かかる目的を達成するための本発明の要旨とするところは、次の各項の発明に存する。［１］  外部読取装置（４０）が発信する電磁波を利用して前記外部読取装置（４０）と非接触で通信することができる非接触ＩＣカード（３０）に重ね合わせて使用する、前記外部読取装置（４０）と前記非接触ＩＣカード（３０）との通信状態を調整するための非接触ＩＣカード通信調整板（１）において、
前記外部読取装置（４０）と前記非接触ＩＣカード（３０）との間の前記電磁波を遮断ないし減衰させるシールドシート（１０）と、該シールドシート（１０）の片面または両面に積層され、前記外部読取装置（４０）と前記非接触ＩＣカード（３０）との間の前記電磁波を透過させる磁性シート（２０）と、を備え、
前記シールドシート（１０）は、該シールドシート（１０）を前記非接触ＩＣカード（３０）に重ね合わせた使用状態において前記非接触ＩＣカード（３０）の両側長辺（３１ａ，３１ａ）に沿うシールドシート長辺部（１０ａ，１０ａ）と前記非接触ＩＣカード（３０）の両側短辺（３１ｂ、３１ｂ）に沿うシールドシート短辺部（１０ｂ、１０ｂ）とを有するものであり、
前記磁性シート（２０）は、前記シールドシート（１０）からはみ出さない範囲内で前記シールドシート（１０）上の位置を変更可能な少なくとも２枚一組の大片の磁性シート（２０，２０）であり、面積の合計が前記シールドシート（１０）の面積よりも小さい
ことを特徴とする非接触ＩＣカード通信調整板（１）。
【手続補正３】
【補正対象書類名】明細書
【補正対象項目名】００１５
【補正方法】変更
【補正の内容】
【００１５】
［２］  外部読取装置（４０）が発信する電磁波を利用して前記外部読取装置（４０）と非接触で通信することができる非接触ＩＣカード（３０）に重ね合わせて使用する、前記外部読取装置（４０）と前記非接触ＩＣカード（３０）との通信状態を調整するための非接触ＩＣカード通信調整板（１）において、
前記外部読取装置（４０）と前記非接触ＩＣカード（３０）との間の前記電磁波を遮断ないし減衰させるシールドシート（１０）と、該シールドシート（１０）の片面または両面に積層され、前記外部読取装置（４０）と前記非接触ＩＣカード（３０）との間の前記電磁波を透過させる磁性シート（２０）と、を備え、
前記シールドシート（１０）は、該シールドシート（１０）を前記非接触ＩＣカード（３０）に重ね合わせた使用状態において前記非接触ＩＣカード（３０）の両側長辺（３１ａ，３１ａ）に沿うシールドシート長辺部（１０ａ，１０ａ）と前記非接触ＩＣカード（３０）の両側短辺（３１ｂ、３１ｂ）に沿うシールドシート短辺部（１０ｂ、１０ｂ）とを有するものであり、
前記磁性シート（２０）は、前記シールドシート（１０）からはみ出さない範囲内で前記シールドシート（１０）上の位置を変更可能な少なくとも２枚一組の大片の磁性シート（２０，２０）であり、該一組の大片の磁性シート（２０，２０）は、面積の合計が前記シールドシート（１０）の面積よりも小さく、一方は、一部の辺縁（２３ａ）が前記シールドシート（１０）の両短辺部（１０ｂ、１０ｂ）のうち一方にのみと接し、他方は、一部の辺縁（２３ａ）が前記シールドシート（１０）の両短辺部（１０ｂ、１０ｂ）のうち他方にのみと接している
ことを特徴とする非接触ＩＣカード通信調整板（１）。
［３］  前記シールドシート（１０）の短辺部（１０ｂ、１０ｂ）に接している、前記一方の磁性シート（２０）および前記他方の磁性シート（２０）それぞれの前記辺縁（２３ａ）は、長さが前記シールドシート（１０）の短辺部（１０ｂ）の長さの１／２よりも短いことを特徴とする項［２］に記載の非接触ＩＣカード通信調整板（１）。
【手続補正４】
【補正対象書類名】明細書
【補正対象項目名】００１６
【補正方法】変更
【補正の内容】
【００１６】
［４］  前記シールドシート（１０）は、表面に開口部（１１ａ）が内部（１１ｂ）よりも狭く形成されたガイド溝（１１）を有し、
前記大片の磁性シート（２０）は、前記ガイド溝（１１）に移動可能に嵌合した突起部（２５）を有し、前記ガイド溝（１１）に沿って位置の変更を可能とした
ことを特徴とする項［１］，［２］または［３］に記載の非接触ＩＣカード通信調整板（１）。
【手続補正５】
【補正対象書類名】明細書
【補正対象項目名】００１７
【補正方法】変更
【補正の内容】
【００１７】
［５］  前記シールドシート（１０）は、表面に開口部が内部よりも狭く形成された複数の固定穴を有し、
前記大片の磁性シート（２０）は、前記複数の固定穴に嵌脱可能な突起部を有し、該突起部を前記固定穴に選択的に嵌脱させて位置の変更を可能とした
ことを特徴とする項［１］，［２］または［３］に記載の非接触ＩＣカード通信調整板（１）。
【手続補正６】
【補正対象書類名】明細書
【補正対象項目名】００１８
【補正方法】変更
【補正の内容】
【００１８】
［６］  前記大片の磁性シート（２０）それぞれは、片面に前記シールドシート（１０）との貼着剥離が自在な粘着剤層を有する
ことを特徴とする項［１］，［２］または［３］に記載の非接触ＩＣカード通信調整板（１）。
【手続補正７】
【補正対象書類名】明細書
【補正対象項目名】００１９
【補正方法】変更
【補正の内容】
【００１９】
［７］  前記シールドシート（１０）は、前記大片の磁性シート（２０）の移動位置を示す目印（１２）を有する
ことを特徴とする項［１］から［６］の何れか一項に記載の非接触ＩＣカード通信調整板（１）。
【手続補正８】
【補正対象書類名】明細書
【補正対象項目名】００２４
【補正方法】変更
【補正の内容】
【００２４】
非接触ＩＣカード通信調整板（１）は、シールドシート（１０）の片面または両面に磁性シート（２０）が積層されている。この磁性シート（２０）は、シールドシート（１０）上の位置を変更可能な少なくとも２枚一組の大片の磁性シート（２０，２０）であり面積の合計がシールドシート（１０）の面積よりも小さいものである。したがって、外部読取装置（４０）や非接触ＩＣカード（３０）の仕様の違いによって、外部読取装置（４０）による非接触ＩＣカード（３０）の情報の読み取りに不具合が生じる場合には、使用者がシールドシート（１０）上の大片の磁性シート（２０，２０）をシールドシート（１０）からはみ出さない範囲内で適宜に位置の変更をすることによって不具合が生じないようにすることができる。